(57)【特許請求の範囲】
【請求項１】
独立した換気構造部を上下方向に複数段に配設した換気具であって、
前記換気構造部は、間隔をおいて前後に配置された前面板部と後面板部とを具え、該前面板部と該後面板部との間をなす通気空間の上下端が水平板状をなす上下の塞ぎ片で閉塞され、該前面板部は、上面が、後端から前端に向けて下方に傾斜する水切り面となり、且つ下面が、前端から後端に向けて上方に傾斜する空気案内面となる上片と、該上片の下側に配置され、且つ上面が、後端から前端に向けて上方に傾斜する空気案内面となる下片の前端相互が前の垂直片で連結されてなる前方突出の台形状を呈した突条部を具え、
前記下片の後端には後の垂直片が下方向に屈曲形成されると共にその下端において、上面が、後端から前端に向けて下方に傾斜する水切り面となり、且つ下面が、前端から後端に向けて上方に傾斜する空気案内面に形成された傾斜片が屈曲形成されており、該傾斜片の前端で垂直片が下方に連設され、該垂直片の下端と前記下の塞ぎ片の前端との間に、外気を流入させる空気流入口が設けられており、前記後の垂直片の下端において、水平板状の後方水切り片が後方向に突設され、該後方水切り片の下面と前記傾斜片の空気案内面は一連に連続されており、又前記後面板部には、前記前の垂直片の上下方向中間部に向けて水平板状の前方水切り片が突設されており、前記後方水切り片の後端部分と前記前方水切り片の前端部分は、平面視で重なるように構成されており、又前記後面板部の上側部分には、前記通気空間を上昇した空気を屋内に流出させる空気流出口が設けられており、該空気流出口の下縁に沿って、前方に向けて短く突出する水平板状をなす前方突出片が突設されると共に、該前方突出片の下側に位置させて前記前方水切り片が長く突設されており、
又、前記上片の後端において、後方向に突出する水平板状をなす後方突出片が、前記前方突出片の下側に位置させて設けられており、且つ該後方突出片の下面と前記上片の下面が一連に連なるようになされており、
以て、前記傾斜片の空気案内面と前記後方水切り片の下面、前記前方水切り片の下面、前記下片及び上片の空気案内面、前記後方突出片の下面によって、前記空気流入口から前記空気流出口に至る、蛇行した流路が形成されていることを特徴とする換気具。
【発明の詳細な説明】
【０００１】
【発明の属する技術分野】
本発明は、屋内への雨水の侵入を防止しながら、小屋裏や床下等の換気を効率的に行なうことのできる換気具に関するものである。
【０００２】
【従来の技術】
建物の小屋裏を換気するために用いられる換気具の一例としては、実公平５−２６１７１号公報が開示するものが提案されている。
該換気具ａは、図１４〜１５に示すように、表板ｂと裏板ｃとの間に上下方向の通気路ｄが形成されると共に、該表板ｂの下半分は、外気を流入させる流入口ｅが複数段に設けられたガラリ状に形成されており、又前記裏板ｃの上半分には、前記通気路ｄを上昇した空気を矢印で示すように屋内に入り込ませるための流出口ｆが設けられていた。又該流出口ｆの稍下側に位置させて、前記裏板ｃに、前記表板ｂに向けて突出する雨返しｇ，ｇを間隔を置いて上下に突設することにより、蛇行通気路ｈが形成されていた。
【０００３】
そして、かかる構成の換気具ａによるときは、雨水を含んだ空気が前記表板ｂに設けられた前記流入口ｅを通して通気路ｄに流入した場合、該流入した空気は該通気路ｄを上昇して前記流出口ｆから小屋裏ｊ内に入り込むのであるが、該雨水を含んだ空気が前記蛇行通気路ｈを通過する間に、雨水が雨返しｇ，ｇによって遮断され、空気だけを上昇させてこれを前記流出口ｆから小屋裏ｊ内に入り込ませるように構成されていた。
【０００４】
【発明が解決しようとする課題】
しかしながら、前記構成の換気具ａによるときは、裏板ｃの下半分を空気の流入部とすると共に、上半分を空気の流出部としていたため、上昇する空気の流路が長くなって抵抗が増し、換気効率が良好でない問題があった。
【０００５】
又風雨が強い場合は、前記雨返しによる雨水の遮断が不十分となって、屋内に雨水が入り込む場合があった。風雨が強い場合にも屋内への雨の侵入を防止できるように、前記雨返しを数多く設けることも考えられないではないが、雨返しを多くすれば、それだけ抵抗が増大して換気効率が悪くなる。かかることから前記雨返しの枚数は少なく設定せざるを得ず、屋内に雨水が入り込みやすい問題が避けられなかったのである。このように従来の換気具によるときは、雨水を効果的に遮断しながら換気効率を向上させるということが不可能であった。
【０００６】
本発明は、小屋裏や床下等の屋内への雨水の侵入を効果的に防止しながら、換気効率の向上をも達成し得る換気具の提供を課題とするものである。
【０００７】
【課題を解決するための手段】
前記課題を解決するため、本発明は以下の手段を採用する。
即ち、本発明に係る換気具は、独立した換気構造部を上下方向に複数段に配設した換気具であって、前記換気構造部は、間隔をおいて前後に配置された前面板部と後面板部とを具え、該前面板部と該後面板部との間をなす通気空間の上下端が水平板状をなす上下の塞ぎ片で閉塞され、該前面板部は、上面が、後端から前端に向けて下方に傾斜する水切り面となり、且つ下面が、前端から後端に向けて上方に傾斜する空気案内面となる上片と、該上片の下側に配置され、且つ上面が、後端から前端に向けて上方に傾斜する空気案内面となる下片の前端相互が前の垂直片で連結されてなる前方突出の台形状を呈した突条部を具える。そして、前記下片の後端には後の垂直片が下方向に屈曲形成されると共にその下端において、上面が、後端から前端に向けて下方に傾斜する水切り面となり、且つ下面が、前端から後端に向けて上方に傾斜する空気案内面に形成された傾斜片が屈曲形成されており、該傾斜片の前端で垂直片が下方に連設され、該垂直片の下端と前記下の塞ぎ片の前端との間に、外気を流入させる空気流入口が設けられており、前記後の垂直片の下端において、水平板状の後方水切り片が後方向に突設され、該後方水切り片の下面と前記傾斜片の空気案内面は一連に連続されている。又前記後面板部には、前記前の垂直片の上下方向中間部に向けて水平板状の前方水切り片が突設されており、前記後方水切り片の後端部分と前記前方水切り片の前端部分は、平面視で重なるように構成されている。そして、前記後面板部の上側部分には、前記通気空間を上昇した空気を屋内に流出させる空気流出口が設けられており、該空気流出口の下縁に沿って、前方に向けて短く突出する水平板状をなす前方突出片が突設されると共に、該前方突出片の下側に位置させて前記前方水切り片が長く突設されている。又、前記上片の後端において、後方向に突出する水平板状をなす後方突出片が、前記前方突出片の下側に位置させて設けられており、且つ該後方突出片の下面と前記上片の下面が一連に連なるようになされている。以て、前記傾斜片の空気案内面と前記後方水切り片の下面、前記前方水切り片の下面、前記下片及び上片の空気案内面、前記後方突出片の下面によって、前記空気流入口から前記空気流出口に至る、蛇行した流路が形成されていることを特徴とするものである。
【０００８】
【発明の実施の形態】
以下、本発明の実施の形態を図面に基づいて説明する。
図１〜４において、本発明に係る換気具１は、前方に開放する嵌入凹所２を具えた後枠体３の該嵌入凹所２に、前枠体５を嵌入状態に装着可能となされており、独立した換気構造部６が上下方向に多段に設けられている。
【０００９】
前記後枠体３は図３〜５に示すように、全体が合成樹脂を以って形成された、上下方向に長い矩形枠体として形成され、前方に開放した矩形状の前記嵌入凹所２が設けられている。その後面部７には、左右方向に連続する横長の空気流出口９が、上下に間隔をおいて多段に、例えば７段に設けられており、各空気流出口９は、図６に示すように防虫網１０で覆われている。そして図６〜９に示すように、各空気流出口９の下縁に沿って、前方に向けて比較的短く突出する水平板状をなす前方突出片１１が突設されると共に、その稍下側に位置させて、前方に向けて比較的長く突出する水平板状の前方水切り片１２が突設されている。
【００１０】
又該前方水切り片１２の稍下側に位置させて、上下の突条１３，１５間で、左右方向に延びる嵌入溝１６が設けられている。該嵌入溝１６は、前記空気流出口９の下側に他の空気流出口９ａが設けられているときは、該下側の空気流出口９ａの上縁に沿って設けられる（図８）。そして前記後枠体３の後端周縁には、図１、図３〜４に示すように固定鍔１７が突設されている。なお該後枠体３の上端部分１９（図１）は、本実施の形態においては図３〜５に示すように、後枠本体２０の上端２１に装着されるカバー部材２２を用いて構成されており、該カバー部材２２の前面部２３及び左右側面部２５，２６の内面側の下端寄りで連続して設けられた係止突条２７を、図７に示すように、後枠本体２０の上端部分の前面２９及び左右外面部３０，３１に連続して設けた係合溝３２に嵌入させることによって、該カバー部材２２が後枠本体２０に装着される。
【００１１】
一方前記前枠体５は、図３〜５、図７〜９に示すように、後端３３から前端３５に向けて下方に傾斜する上片３６と、その先端で下設された前の垂直片３７と、該垂直片３７の下端において、前端３９から後端４０に向けて下方に傾斜する下片４１とからなり、前方に向けて凸の突条部４２が、前枠体５の基板４３を前方に凸に膨らみ変形させることによって上下多段に設けられている。そして図７に示すように、最上段の突条部４２ａの前記上片３６の後端４５には、上の垂直片４６が上方に連設されると共に、該垂直片４６の上端４７において、前方に向け上方に傾斜する上傾斜片４８が連設され、その上端に、水平板状の上枠片４９が連設されている。又上下隣り合う突条部４２Ａ，４２Ｂ相互は後の垂直片５０で連結されており、前記後の垂直片５０の下端５１（前記下片４１の後端側の一種）において、水平板状の後方水切り片５２が突設され、該後方水切り片５２の下面５３と、下側に存する突条部４２Ｂの上片３６の下面５５は一連に連続されている。又図９に示すように、最下段に位置する突条部４２ｂの下片４１の後端５４には、下の垂直片５５が下方に連設されると共に、該垂直片５５の下端５６において、前方に向け下方に傾斜する下傾斜片５７が連設され、その下端に、水平板状の下枠片５８が連設されている。
【００１２】
そして、かかる構成を有する前枠体５は、図７に示すように、その上枠片４９が前記嵌入凹所２の上面５６に当接し、且つ図９に示すように、前記下枠片５８の下面５９が前記嵌入凹所２の下面６０に当接し、又図１１に示すように、前記前枠体５の左右の側面６１，６１が前記嵌入凹所２の左右の内側面６３，６３に当接する状態で、前記前枠体５を前記嵌入凹所２に嵌め入れ可能となされている。
【００１３】
このように前枠体５が嵌入凹所２に嵌め入れられた状態において、図７〜９に示すように、前記前方水切り片１２が、前記突条部４２を構成する前記前の垂直片３７の上下方向中間部（本実施の形態においては、前の垂直片３７の下端側）としての、上片と下片の連結部分に向けて前方向に突出するように位置設定されている。
【００１４】
又図４、図７〜９に示すように、前記上の突条部４２Ａの上片３６の後端において、後方に向けて比較的短く突出する水平板状をなす後方突出片６６が、前記前方突出片１１の若干下側に位置させて設けられており、該後方突出片６６の下面６７と前記上片３６の下面６９が一連に連なるようになされている。又、前記後方水切り片５２の後端部分７０と、前記前方水切り片１２の前端部分７１は、平面視で、例えば３〜５ｍｍ程度重なるように構成されている。
【００１５】
そして、前記下段に位置する突条部４２Ｂの下片４１には、例えば図１０に示すように、その左右方向の中間部分に間隔をおいて配設された繋ぎ片７２，７２，７２を残して開口され、空気流入口７３が設けられている。又前記下片４１の後端には、水平板状をなす塞ぎ片７５が後方に突設されており、又最上段に位置する傾斜片７４（前記上片）の後端で上方向に連設された垂直片６８の上端に、水平板状をなす塞ぎ片７５が後方に突設されている。そして該塞ぎ片７５の後端部分７６が前記嵌入溝１６に嵌入されており、図７〜９に示すように、上下の塞ぎ片７５，７５間と、前記上枠片４９と塞ぎ片７５との間と、最下段に位置する塞ぎ片７５とその直上の塞ぎ片７５との間で、前記換気構造部６が構成されている。
【００１６】
そして、該前枠体５が前記嵌入凹所２に図１〜２に示すように嵌め入れられた状態で、図７、図９、図１１に示すように、両者はビス７９によって一体化される。
【００１７】
前記換気構造部６について、図８に基づいて更に説明を加えれば、該換気構造部６は、間隔を置いて前後に配置された前面板部８０と後面板部８１とを具えている。
【００１８】
該前面板部８０は、後端３３から前端３５に向けて下方に傾斜し、上面が水切り面８２となり且つ下面が空気案内面８３となる前記上片３６と、該上片３６の直下に配置され且つ上面が、前方に向けて上方向に傾斜する空気案内面８４とされ且つ下面が水切り面８５とされてなる前記下片４１の前端相互が前の垂直片３７で連結されてなる前記台形状を呈した突条部４２を具えており、前記下片４１の後端には、前記後の垂直片５０が下方向に屈曲形成されると共に、その下端において、上面が、前方に向けて下方に傾斜する水切り面８６に形成され且つ下面が、後方に向けて上方に傾斜する空気案内面８７に形成された傾斜片８９（前記上片３６）が屈曲形成されている。又前記後の垂直片５０の下端において、水平板状を呈する前記後方水切り片５２が後方に向けて突設されており、該後方水切り片５２の下面５３と前記傾斜片８９（上片３６）の前記空気案内面８７は一連に連続されている。
【００１９】
又前記後面板部８１には、前記のように、前の垂直片３７の上下方向中間部に向けて前記前方水切り片１２が突設されている。そして前記のように後方水切り片１２の後端部分７０と前方水切り片１２の前端部分７１は、平面視で例えば３〜５ｍｍ程度重なるように構成されており、該後方水切り片５２と前方水切り片１２とによって、蛇行した流路９０が形成されている。なお前記空気案内面８７，８４，８３の傾斜角度は、例えば１０度程度に設定される。又前記後方突出片６６の下面６７と、前記上片３６の空気案内面８３は一連に連続されている。
本実施の形態においては、前記傾斜片８９の前端で垂直片９１（前記前の垂直片３７）が下方に連設されており、図８、図１０に示すように、該垂直片９１の下端と前記塞ぎ片７５の前端との間に前記空気流入口７３が設けられている。
【００２０】
然して、かかる構成を有する換気具１を、図２、図１２に示すように家屋の垂直壁部９３に設けた開口９５に取り付けると、空気は、図２、図７〜９に矢印で示すように、前記した夫々の換気構造部６における前記空気流入口７３から流入し、前記換気構造部６内の通気空間を、前記傾斜片８９の空気案内面８７と前記後方水切り片５２の下面５３、前記前方水切り片１２の下面９６、前記下片４１及び上片３６の上方傾斜の空気案内面８４，８３、前記後方突出片６６の下面６７等に案内されて蛇行しながら上昇し、前記空気流出口９を通して小屋裏９６内に流出する。
【００２１】
流入する空気が雨水を含むときは、該雨水は、前記後方水切り片５２や前方水切り片１２によって遮水され、これらに付着し、流下乃至滴下して、前記空気流入口７３を通して外部へ排出される。本実施の形態においては、前記のように後方水切り片５２の後端部分７０と前方水切り片１２の前端部分７１とが平面視で重なるように構成されているため、雨水の上方向への移動がより効果的に遮断される。
【００２２】
又本実施の形態においては、前記前方水切り片１２の上側に位置させて、更に、前記前方突出片１１と後方突出片６６とを対向側で、上下に稍ずらして突設してなるため、雨水の一部分が前記後端部分７０と前端部分７１の重なり部を通過したとしても、これを確実に遮断できることになる。
【００２３】
かかることから、前記換気具１によるときは、図８に矢印で示すように、各突条部４２において、前記上の水切り面８２及び下の水切り面８５で、雨水を円滑に流下させることができる。そして換気構造部６においては、空気だけを、前記上方向に傾斜した空気案内面８７，８４，８３に案内させて円滑に上昇させることができる。この上昇は、前記前方水切り片１２が、前記前の垂直片３７の上下方向中間部に向けて突設されているため、前記後端部分７０と前端部分７１との間を通過した蛇行流を、前記空気案内面８４に案内させて前方に向け円滑に上昇させ、引き続いて、上の空気案内面８３に案内させて後方向に向け円滑に上昇させることができる。このように、上方向に傾斜した空気案内面８７，８４，８３に案内させて空気を上昇させ得るため、空気の上昇が、抵抗が極力小さく抑制されて円滑に行なわれ、小屋裏内を効果的に換気できる。又前記各空気案内面８７，８４，８３に付着した雨水は、下方に傾斜する空気案内面８７，８４，８３に案内されて円滑に流下し、外部に排出される。
【００２４】
〔その他の実施の形態〕
本発明は、前記実施の形態で示したものに限定されるものでは決してなく、
「特許請求の範囲」の記載内で種々の設計変更が可能であることは言うまでもない。その一例を挙げれば次のようである。
【００２５】
(1) 本発明に係る換気具１は、後方水切り片５２と前方水切り片１２とによって効果的に遮水できる場合は、該前方水切り片１２の上側に設けた前記前方突出片１１と後方突出片６６を省略することもある。
【００２６】
(2) 前記換気構造部６は、換気具に要求される換気面積に応じて、上下方向に所要段数に配設できる。
【００２７】
(3) 本発明に係る換気具は、前記小屋裏の他、床下等の屋内の換気に広く活用できる。
【００２８】
【発明の効果】
本発明は以下の如き優れた効果を奏する。
(1) 本発明に係る換気具は、独立した換気構造部が上下方向に複数段に配設されてなり、該換気構造部は、間隔をおいて前後に配置された前面板部と後面板部とを具え、該前面板部は、垂直片を介して連結してなる前方突出の突条部を有し、該下片の後端側に、後方向に突出する後方水切り片が突設されると共に、前記後面板部には、前記上片と下片との連結部分に向けて前方向に突出する前方水切り片が突設されている。又、前記前面板部と後面板部との間をなす通気空間の上下端が閉塞されると共に、前面板部と後面板部の下端間には空気流入口が設けられ、又前記後面板部の上側には空気流出口が設けられている。
従って、前記空気流入口から雨風が侵入した場合、雨水は、前記後方水切り片と前方水切り片とが形成する蛇行路を通過する間に効果的に遮水される。そして前記通気空間を上昇する空気は、前記上方向に傾斜する空気案内面に案内されて抵抗が少ない状態で円滑に上昇でき、しかも、前記前方水切り片は、前記上片と下片の連結部分に向けて前方向に突出するため、前記後方水切り片と前方水切り片との間を通過した蛇行流を、図８に示すように、下の空気案内面８４と上の空気案内面８３に案内させて円滑に上昇させることができる。加えて、このように上昇する空気の流路は、換気具が上下方向で複数段に分割されていることによって、従来の換気具に比して小さいため、その分、抵抗が少ない状態で上昇でき、効率的な換気が行なわれることになる。又前記傾斜する空気案内面は、このように抵抗を少なくして空気の上昇を円滑化するだけでなく、この面に付着した雨水を円滑に流下させる機能をも有する。
このように本発明によるときは、雨水を確実に遮断しながら所要の風量を確保でき、小屋裏等の換気を効率的に行なうことができる。
【００２９】
(2) 又、後方水切り片の後端部分と、その上に位置する前方水切り片の前端部分とを、平面視で重なるように（例えば３〜５ｍｍ程度重なるように）構成しているため、該上下の水切り片間で良好な蛇行流を形成でき、水切りをより確実に行なわせることができる。
【００３０】
(3) 本発明に係る換気具は、独立した換気構造部を上下方向に複数段に配設する構成を採用するため、要求される換気面積に応じて必要段数を配設することにより、目的の換気具を容易に構成できる利点がある。
【００３１】
(4) 本発明に係る換気具は、前記上片の後端に、後方向に突出する後方突出片を設け、該後方突出片の下面と前記上片の下面を一連に連ねることにより、雨水の一部分が、前記後方水切り片の後端部分と前記前方水切り片の前端部分の重なり部を蛇行して通過したとしても、これを確実に遮断できることになる。
【図面の簡単な説明】
【図１】  本発明に係る換気具を示す斜視図である。
【図２】  その断面図である。
【図３】  その分解斜視図である。
【図４】  その分解斜視図である。
【図５】  その部分拡大の分解斜視図である。
【図６】  後枠体を示す部分斜視図である。
【図７】  本発明に係る換気具の上側部分を示す断面図である。
【図８】  その中間部分を示す断面図である。
【図９】  その下側部分を示す断面図である。
【図１０】  空気流入口を示す斜視図である。
【図１１】  前枠体と後枠体とをビス固定した状態を示す断面図である。
【図１２】  換気具の使用状態を示す正面図である。
【図１３】  従来の換気具を説明する断面図である。
【図１４】  従来の換気具を説明する斜視図である。
【符号の説明】
１  換気具
２  後枠体
５  前枠体
６  換気構造部
９  空気流出口
１１  前方突出片
１２  前方水切り片
３６  上片
３７  前の垂直片
４１  下片
４２  突条部
５０  後の垂直片
５２  後方水切り片
６６  後方突出片
７３  空気流入口
８２  水切り面
８３  空気案内面
８４  空気案内面
８５  水切り片
８６  水切り面
８７  空気案内面
８９  傾斜片
９６  小屋裏
【図１】
0004005351.tif 000002
【図２】
0004005351.tif 000003
【図３】
0004005351.tif 000004
【図４】
0004005351.tif 000005
【図５】
0004005351.tif 000006
【図６】
0004005351.tif 000007
【図７】
0004005351.tif 000008
【図８】
0004005351.tif 000009
【図９】
0004005351.tif 000010
【図１０】
0004005351.tif 000011
【図１１】
0004005351.tif 000012
【図１２】
0004005351.tif 000013
【図１３】
0004005351.tif 000014
【図１４】
0004005351.tif 000015